(57)【要約】【課題】劣悪な労働環境による人手作業を要することなく、資源ゴミ等の廃棄物を効率的に貯留することができる廃棄物貯留システムを提供する。【解決手段】貯留槽１に投入された廃棄物Ｗの高さが不揃いであっても、貯留槽１の床面を構成する底部移送コンベア３が水平方向に往復運転されることにより、廃棄物Ｗが崩れ落ちてその高さの不揃いが均される。その結果、廃棄物Ｗが貯留槽１に効率的に貯留され、その貯留量が増大する。また、底部移送コンベア３を一方の搬送方向に運転することにより、貯留槽１に貯留された廃棄物Ｗが搬出される。【選択図】　　　　図１
2004043039.tif 000002
【特許請求の範囲】
【請求項１】
廃棄物が投入される貯留槽を備え、この貯留槽の床面が水平方向に往復運動可能に構成されていることを特徴とする廃棄物貯留システム。
【請求項２】
前記貯留槽の床面が往復運転可能なコンベアにより構成されていることを特徴とする請求項１に記載の廃棄物貯留システム。
【請求項３】
前記コンベアが刃付きコンベアで構成されていることを特徴とする請求項１または請求項２に記載の廃棄物貯留システム。
【発明の詳細な説明】
【０００１】
【発明の属する技術分野】
本発明は、廃棄物貯留システムに関し、詳しくは、回収された廃棄物を効率よく貯留できるようにした廃棄物貯留システムに関するものである。
【０００２】
【従来の技術】
一般に、燃えない資源ゴミであるビン、缶、プラスチックなどは、リサイクルのため分別して廃棄され、収集車等により分別状態で回収される。そして、回収された資源ゴミは、収集車によりリサイクルプラント等の処理施設に運搬され、通常、ヤード方式によって貯留される。すなわち、運搬された資源ゴミは、収集車から貯留ヤードに積み降ろされ、ショベルローダ等の重機により貯留ヤードに堆積されて貯留される。そして、この貯留ヤードに貯留された資源ゴミは、前記ショベルローダ等の重機により必要量づつ順次受入れホッパに投入され、搬送コンベア等によりリサイクルプラント側へ搬送される。
【０００３】
【発明が解決しようとする課題】
ところで、前述した貯留ヤードに堆積される資源ゴミの安息角は、例えばプラスチックの資源ゴミの場合に４５度程度である。このため、従来のヤード方式においては、資源ゴミを堆積して貯留する貯留ヤードに広いスペースが必要であり、資源ゴミの貯留効率が低いという問題がある。また、資源ゴミが貯留された貯留ヤードという臭気の漂う劣悪な環境下でショベルローダ等の重機を運転する必要があり、人手が掛かるばかりか、その労働環境が悪いという問題がある。さらに、貯留ヤード付近で作業する収集車とショベルローダ等の重機との接触事故等を回避するための安全対策に十分留意する必要がある。
【０００４】
そこで、本発明は、劣悪な労働環境による人手作業を要することなく、資源ゴミ等の廃棄物を効率的に貯留することができる廃棄物貯留システムを提供することを課題とする。
【０００５】
【課題を解決するための手段】
前述した課題を解決するための手段として、本発明に係る廃棄物貯留システムは、廃棄物が投入される貯留槽を備え、この貯留槽の床面が水平方向に往復運動可能に構成されていることを特徴とする。
【０００６】
本発明に係る廃棄物貯留システムでは、貯留槽に投入された廃棄物の高さが不揃いであっても、貯留槽の床面が水平方向に往復運動されることにより、廃棄物の高さの不揃いが均される。その結果、資源ゴミ等の廃棄物は貯留槽に効率的に貯留される。
【０００７】
本発明の廃棄物貯留システムにおいて、貯留槽の床面は、往復運転可能なコンベアにより構成されているのが好ましい。この場合、コンベアを一方の搬送方向に運転することにより、貯留槽に貯留された廃棄物が貯留槽から搬出される。
【０００８】
また、前記コンベアが刃付きコンベアで構成されていると、廃棄物が袋詰めされている場合、コンベアの運転により廃棄物を詰め込んだ袋が容易に破袋されるので好ましい。
【０００９】
【発明の実施の形態】
以下、図面を参照して本発明に係る廃棄物貯留システムの実施の形態を説明する。参照する図面において、図１は一実施形態に係る廃棄物貯留システムの概略構造を示す断面図である。
【００１０】
一実施形態に係る廃棄物貯留システムは、例えば、燃えない資源ゴミとして分別回収されたプラスチック廃棄物をリサイクルプラント等において一時的に貯留する設備として使用される。この廃棄物貯留システムは、図１に示すように、例えば袋詰めされたプラスチックの廃棄物Ｗが収集車Ｃから投入される貯留槽１を備えている。
【００１１】
貯留槽１は、通常、図示のように地面ＧＬより上方に構成されて建屋２で覆われている。なお、貯留槽１は、地面ＧＬを掘り込んだ地下式または半地下式に構成されていてもよい。この建屋２には、収集車Ｃの後部が臨む投入口を開閉する巻き上げ式の開閉シャッタ２Ａが設けられている。なお、この開閉シャッタ２Ａは、左右方向にスライドする開閉扉や前後方向に揺動する開閉扉などに変更してもよい。
【００１２】
ここで、貯留槽１の床面は、投入された廃棄物Ｗの高さの不揃いを均すように、水平方向に往復運動可能に構成されている。すなわち、貯留槽１の床面には、開閉シャッタ２Ａ側を一端として当該開閉シャッタ２Ａ側に接離する方向（図示の矢印方向）に往復運転可能な底部移送コンベア３が設置されている。また、底部移送コンベア３の他端側の上方には、排出コンベア４が上下方向に傾斜して設置されている。この排出コンベア４は、底部移送コンベア３によりその他端側に移送された廃棄物Ｗを下方の搬出溝５に設置された搬送コンベア６上に掻き落とすように、底部移送コンベア３との間に廃棄物Ｗの排出ゲートＧを形成している。
【００１３】
前記底部移送コンベア３および排出コンベア４は、幅広の単一のコンベアで構成してもよいし、所定幅の複数のコンベアを幅方向に並べて構成してもよい。この底部移送コンベア３および排出コンベア４は、袋詰めされたプラスチックの廃棄物Ｗを排出ゲートＧから排出する際に、その袋を破袋するように、刃付のチェーンコンベアで構成されている。一方、搬送コンベア６は、通常、エプロンコンベア等のチェーンコンベアで構成されるが、ベルトコンベアで構成されていてもよい。
【００１４】
以上のように構成された一実施形態の廃棄物貯留システムでは、建屋２の開閉シャッタ２Ａが開かれた状態で収集車Ｃに回収された袋詰めのプラスチックの多数の廃棄物Ｗが収集車Ｃから貯留槽１内に直接投入される。そして、開閉シャッタ２Ａが閉じられることで、貯留槽１内に投入された廃棄物Ｗの臭気が外部に拡散するのが防止される。このように、一実施形態の廃棄物貯留システムにおいては、従来のように多数の廃棄物Ｗを貯留ヤードに堆積させる作業が不要となり、臭気の漂う劣悪な労働環境での人手作業が不要となる。
【００１５】
ここで、貯留槽１内に投入された多数の廃棄物Ｗは、図１に示すように、底部移送コンベア３の開閉シャッタ２Ａ側の一端部上に積み重なって高さが不揃いとなる。そこで、一実施形態の廃棄物貯留システムにおいては、底部移送コンベア３上に積み重なって高さが不揃いとなった多数の廃棄物Ｗの高さの不揃いを均すため、底部移送コンベア３が図示の矢印方向に往復運転される。その際、排出コンベア４は、排出ゲートＧから廃棄物Ｗが落下しないように運転が停止されるか、あるいは、廃棄物Ｗを掻き上げるように逆転運転される。
【００１６】
底部移送コンベア３が図示の矢印方向に往復運転されることで、その上に積み重なった袋詰めの多数の廃棄物Ｗは、崩れ落ちて高さが均等に均される。その結果、袋詰めの廃棄物Ｗが貯留槽１内に効率的に多数貯留される。
【００１７】
ここで、貯留槽１内に貯留された多数の袋詰めの廃棄物Ｗを必要量ずつ順次リサイクルプラント側へ搬出するには、底部移送コンベア３を排出コンベア４側の他端側へ向けて運転すると共に、排出コンベア４を下方に向けて掻き落とし方向に運転する。そうすることにより、各廃棄物Ｗが排出ゲートＧから搬出溝５内の搬送コンベア６上に掻き落とされる。その際、底部移送コンベア３および排出コンベア４が刃付コンベアで構成されているため、各廃棄物Ｗを詰め込んだ袋が容易に破られる。そして、袋から飛び出したプラスチックの廃棄物が搬送コンベア６により図示しないリサイクルプラント側へ搬出される。
【００１８】
ここで、前述したような底部移送コンベア３および排出コンベア４の運転は、オペレータの操作により制御してもよいし、センサの検出信号などにより自動制御してもよい。例えば、底部移送コンベア３上に積み重なった廃棄物Ｗの高さを検出するレベルセンサとして、高さが基準値以上となったことを検出する第１のレベルセンサと、高さが基準値以下に均されたことを検出する第２のレベルセンサとを設け、これら第１、第２のレベルセンサの検出信号に応じて自動制御してもよい。この場合、第１のレベルセンサの検出信号に基づき、例えば排出コンベア４の運転を停止して底部移送コンベア３の往復運転を開始し、第２のレベルセンサの検出信号に基づき、底部移送コンベア３の運転を停止する。
【００１９】
なお、高さが均された底部移送コンベア３上の廃棄物Ｗをリサイクルプラント側へ搬出する際には、リサイクルプラント側からの要求信号あるいはタイマの信号により、底部移送コンベア３を排出コンベア４側の他端側へ向けて運転すると共に排出コンベア４を下方に向けて運転し、搬送コンベア６をリサイクルプラント側へ向けて運転する。
【００２０】
図２は、本発明の廃棄物貯留システムの他の実施形態を示している。この廃棄物貯留システムにおいては、コンクリート造りの貯留槽１１が建屋１２と一体に構成されている。貯留槽１１には、図１に示した底部移送コンベア３、排出コンベア４および搬送コンベア６と同様の底部移送コンベア１３、排出コンベア１４および搬送コンベア１６が設置されている。
【００２１】
ここで、建屋１２には、図１に示した開閉シャッタ２Ａと同様の開閉シャッタ１２Ａが底部移送コンベア１３の長手方向に沿って設けられている。また、貯留槽１１には、底部移送コンベア１３上に投入された多数の廃棄物Ｗを位置規制するため、底部移送コンベア１３の一端部に向かって突出する仕切壁１１Ａと、底部移送コンベア１３の他端部側の排出コンベア１４の近傍に突出する仕切壁１１Ｂとが設けられている。
【００２２】
図２に示した他の実施形態の廃棄物貯留システムにおいても、図１に示した一実施形態の廃棄物貯留システムと同様の作用効果が得られる。ここで、貯留槽１１内に投入されて底部移送コンベア１３上に積み重なった袋詰めの多数の廃棄物Ｗは、貯留槽１１の仕切壁１１Ａ，１１Ｂにより位置規制されるため、底部移送コンベア１３が図２の矢印方向に往復運転されると、容易に崩れ落ちて高さが一層均等に均される。その結果、袋詰めの廃棄物Ｗが貯留槽１１内に一層効率的に多数貯留される。
【００２３】
本発明の廃棄物貯留システムは、図１および図２に示した実施形態に限定されるものではない。例えば、排出コンベア４，１４は必須のものではなく、これらを省略してもよい。また、建屋２，１２の形態および構造は適宜に変更してもよい。
【００２４】
また、貯留槽１に貯留される廃棄物Ｗとしては、袋詰めされたプラスチックが特に効果的であるが、袋詰めされていない廃棄物や、プラスチック以外の例えばビン、缶などの他の種類の廃棄物でも良い。
【００２５】
【発明の効果】
以上説明したように、本発明に係る廃棄物貯留システムでは、貯留槽に投入された廃棄物の高さが不揃いであっても、貯留槽の床面が水平方向に往復運動されることにより、貯留槽に投入された廃棄物の高さの不揃いが均される。従って、資源ゴミ等の廃棄物を貯留槽に効率的に貯留することができ、その貯留量を増大することができる。また、従来のようにショベルローダ等の重機によって貯留ヤードに資源ゴミ等の廃棄物を堆積させ、この廃棄物を必要に応じて順次受入れホッパに投入する作業が不要であるため、臭気の漂う劣悪な労働環境による人手作業を廃止することができる。
【図面の簡単な説明】
【図１】本発明の一実施形態に係る廃棄物貯留システムの概略構成を示す断面図である。
【図２】本発明の他の実施形態に係る廃棄物貯留システムの概略構成を示す断面図である。
【符号の説明】
１…貯留槽、２…建屋、２Ａ…開閉シャッタ、３…底部移送コンベア、４…排出コンベア、５…搬出溝、６…搬送コンベア、１１…貯留槽、１１Ａ…仕切壁、１１Ｂ…仕切壁、１２…建屋、１２Ａ…開閉シャッタ、１３…底部移送コンベア、１４…排出コンベア、１６…搬送コンベア、Ｇ…排出ゲート、Ｃ…収集車、Ｗ…廃棄物。
【図１】
2004043039.tif 000003
【図２】
2004043039.tif 000004